(57)【要約】【課題】容器本体の内壁との良好な流体密封を保証するために、広いサイズの許容範囲を有する蓋を提供する。【解決手段】一緒に使用するための飲料容器とプラグ蓋。蓋は、上部部材と下部部材を有し、その間にリングシールが配置されており、アクチュエータが上部および下部部材を一緒に移動させてリングシールを容器本体と流体密な密封係合状態におくことに応じて、最初の直径からより大きな密封直径まで半径方向外向きに伸縮可能である。上部部材と下部部材を離すと、半径方向外方に伸びたリングシールが密封直径から最初の直径に移動し、容器本体との流体密な密封係合から外れる。【選択図】図１
2020189695.tif 000002
【特許請求の範囲】
【請求項１】
上端開口を備えた内部流体通路を画定する内側本体部分を有する飲料容器本体と共に使用するための蓋であって、
前記流体通路内に配置可能な上部部材と、
前記流体通路内で前記上部部材の下の位置に配置可能な下部部材と、
前記上部部材と前記下部部材との間に配置されたリングシールであって、初期周囲サイズから前記初期周囲サイズよりも大きいサイズの密封周囲まで外向きに伸張可能なリングシールと、
第１および第２の動作位置に移動可能なアクチュエータ部材であって、前記アクチュエータ部材が、前記第２の動作位置から前記第１の動作位置に移動される際に、前記アクチュエータ部材が、前記上部および下部部材を一緒に軸方向に移動させ、それに応じて、前記上部部材が、前記リングシールを前記初期周囲サイズから前記密封周囲サイズまで外向きに伸張させ、そこで、前記蓋が前記流体通路に配置されているときに、前記伸張されたリングシールが、前記内側本体部分と流体密に密封係合し、かつ、前記アクチュエータ部材が、前記第１の動作位置から前記第２の動作位置に移動される際に、前記アクチュエータ部材が、前記上部および下部部材を離して軸方向に移動させ、それに応じて、前記上部部材が、前記外向きに伸張されたリングシールが前記密封周囲サイズから前記初期周囲サイズに内向きに移動することを可能にし、そこで、前記蓋が前記流体通路に配置されているとき、前記リングシールが、前記内側本体部分との流体密な密封係合から外れる、アクチュエータ部材と、を備える、蓋。
【請求項２】
前記蓋が前記流体通路内に配置されているときに、前記飲料容器本体が逆さまにされた場合、前記蓋の重量下で、前記流体通路からの前記蓋の取り外しを阻止するのに十分な力で、前記内側本体部分と係合するようにサイズ設定されたグリッパ部材をさらに含む、請求項１に記載の蓋。
【請求項３】
前記リングシールが、Ｏリングである、請求項１に記載の蓋。
【請求項４】
前記上部部材が、飲料分配開口を有し、前記アクチュエータ部材が、前記上部および下部部材を一緒に移動させて、前記リングシールを前記密封周囲サイズまで外向きに伸張させるとき、前記上部部材の下の前記容器本体内の飲料は、前記容器本体が傾けられたときに、前記飲料分配開口を通って分配されることが防止される、請求項１に記載の蓋。
【請求項５】
前記アクチュエータ部材が、前記上部および下部部材を離して移動させ、前記伸張されたリングシールが、前記密封周囲サイズから前記初期周囲サイズまで内向きに移動することを可能にするときに、前記上部部材の下の前記容器本体内の飲料は、前記容器本体が傾けられたときに、前記飲料分配開口を通って分配されることが可能になる、請求項４に記載の蓋。
【請求項６】
前記上部部材が、前記下部部材に対する回転に逆らって保持されている、請求項１に記載の蓋。
【請求項７】
前記アクチュエータ部材が、上部アクチュエータ部分およびねじ付き下部アクチュエータ部分を有するねじ付き部材であり、前記上部部材が、それと共に軸方向に移動するために前記上部アクチュエータ部分に取り付けられながら、前記上部アクチュエータ部分からは回転可能に切り離されており、前記ねじ付き下部アクチュエータ部分が、前記下部部材とねじ式に係合して、第１の回転方向における前記ねじ付き部材の回転が、前記上部部材を前記下部部材から離して上向きに軸方向に移動させ、前記第１の回転方向とは反対の第２の回転方向における前記ねじ付き部材の回転が、前記上部部材を前記下部部材に向かって軸方向に下向きに移動させる、請求項６に記載の蓋。
【請求項８】
前記アクチュエータ部材が、上部アクチュエータ部分およびねじ付き下部アクチュエータ部分を有するねじ付き部材であり、前記上部部材が、それと共に軸方向に移動するために前記上部アクチュエータ部分に取り付けられており、前記ねじ付き下部アクチュエータ部分が、前記下部部材とねじ式に係合して、第１の回転方向における前記ねじ付き部材の回転が、前記上部部材を前記下部部材から離して上向きに軸方向に移動させ、前記第１の回転方向とは反対の第２の回転方向における前記ねじ付き部材の回転が、前記上部部材を前記下部部材に向かって軸方向に下向きに移動させる、請求項１に記載の蓋。
【請求項９】
飲料容器であって、
上端開口を備えた内部流体通路を画定する内側本体部分を有する容器本体と、
前記上端開口を通る前記流体通路への挿入および前記流体通路からの取り外しを可能にするようにサイズ設定された蓋であって、前記蓋が、
前記流体通路内に配置された上部部材と、
前記上部部材の下の位置で前記流体通路内に配置された下部部材と、
前記上部部材と前記下部部材との間に配置されたリングシールであって、初期周囲サイズから前記初期周囲サイズよりも大きい密封周囲サイズまで外向きに伸張可能なリングシールと、
第１および第２の動作位置に移動可能なアクチュエータ部材であって、前記第２の動作位置から前記第１の動作位置に移動する前記アクチュエータ部材に応じて、前記アクチュエータ部材が、前記上部および下部部材を一緒に軸方向に移動させ、それに応じて、前記上部部材が、前記リングシールを前記初期周囲サイズから前記密封周囲サイズまで外向きに伸張させ、そこで、前記伸張されたリングシールが、前記内側本体部分と流体密に密封係合し、前記アクチュエータ部材が前記第１の動作位置から前記第２の動作位置に移動することに応じて、前記アクチュエータ部材が、前記上部および下部部材を離して軸方向に移動させ、それに応じて、前記上部部材が、前記外向きに伸張されたリングシールが前記密封周囲サイズから前記初期周囲サイズに内向きに移動することを可能にし、そこで、前記リングシールは、前記内側本体部分との流体密な密封係合から外れる、アクチュエータ部材と、を有する蓋と、を備える、飲料容器。
【請求項１０】
前記飲料容器本体が逆さまにされた場合、前記蓋の重量下で、前記流体通路からの前記蓋の取り外しを阻止するのに十分な力で、前記内側本体部分と係合するようにサイズ設定されたグリッパ部材をさらに含む、請求項９に記載の飲料容器。
【請求項１１】
前記リングシールが、Ｏリングである、請求項９に記載の飲料容器。
【請求項１２】
前記上部部材が、飲料分配開口を有し、前記アクチュエータ部材が、前記上部および下部部材を一緒に移動させて、前記リングシールを前記密封周囲まで外向きに伸張させるときに、前記上部部材の下の前記容器本体内の飲料は、前記容器本体が傾けられたとき、前記飲料分配開口を通って分配されることが防止される、請求項９に記載の飲料容器。
【請求項１３】
上端開口を備えた内部流体通路を画定する内側本体部分を有する飲料容器本体と共に使用するための蓋であって、
前記流体通路内に配置可能であり、下向き方向において内向きにテーパ状になるテーパ部分を有する上部部材と、
前記流体通路内で前記上部部材の下の位置に配置可能な下部部材と、
中央開口を有し、前記上部部材の上に配置され、その周りに延在するリングシールであって、前記上部部材の前記内向きテーパ部分が前記リングシールの前記中央開口を通って下向きに移動することに応じて、初期周囲サイズから前記初期周囲サイズよりも大きい密封周囲サイズまで外向きに伸張可能であるリングシールと、
第１および第２の動作位置に移動可能なアクチュエータ部材であって、前記第２の動作位置から前記第１の動作位置に移動する前記アクチュエータ部材に応じて、前記アクチュエータ部材が、前記上部部材を前記下部部材に向かって軸方向に下向きに移動させ、前記上部部材の前記内向きテーパ部分のより大きな周囲部分を前記リングシールの前記中央開口に徐々に移動させ、これにより、前記リングシールを前記初期周囲サイズから前記密封周囲サイズまで外向きに伸張させ、そこで、前記蓋が前記流体通路に配置されているときに、前記伸張されたリングシールが、前記内側本体部分と流体密に密封係合している、アクチュエータ部材と、を備える、蓋。
【請求項１４】
前記アクチュエータ部材が、前記第１の動作位置から前記第２の動作位置に移動することに応じて、前記アクチュエータ部材は、前記上部部材を前記下部部材から離して上向きに軸方向に移動させ、前記内向きテーパ部分のより小さな周囲部分を前記リングシールの前記中央開口に徐々に移動させ、これにより、前記リングシールが前記密封周囲サイズから前記初期周囲サイズまで内向きに収縮することを可能にし、そこで、前記蓋が前記流体通路に配置されているときに、前記リングシールが、前記内側本体部分との流体密な密封係合から外れる、請求項１３に記載の蓋。
【請求項１５】
前記蓋が前記流体通路内に配置されているときに、前記飲料容器本体が逆さまにされた場合、前記蓋の重量下で、前記流体通路からの前記蓋の取り外しを阻止するのに十分な力で、前記内側本体部分と係合するようにサイズ設定され、かつ前記下部部材に接続されたグリッパ部材をさらに含む、請求項１３に記載の蓋。
【請求項１６】
前記リングシールが、Ｏリングである、請求項１３に記載の蓋。
【請求項１７】
前記上部部材が、飲料分配開口を有し、前記リングシールが外向きに伸張されて、前記内側本体部分との流体密な密封係合になるときに、前記上部部材の下の前記容器本体内の飲料は、前記容器本体が傾けられたとき、前記飲料分配開口を通って分配されることが防止される、請求項１３に記載の蓋。
【請求項１８】
前記リングシールが前記密封周囲サイズから前記初期周囲サイズまで内向きに収縮されたときに、前記上部部材の下の前記容器本体内の飲料は、前記容器本体が傾けられたとき、前記飲料分配開口を通って分配されることが可能になる、請求項１７に記載の蓋。
【請求項１９】
前記上部部材が、前記下部部材に対する回転に逆らって保持されている、請求項１３に記載の蓋。
【請求項２０】
前記アクチュエータ部材が、上部アクチュエータ部分およびねじ付き下部アクチュエータ部分を有するねじ付き部材であり、前記上部部材が、それと共に軸方向に移動するために前記上部アクチュエータ部分に取り付けられながら、前記上部アクチュエータ部分からは回転可能に切り離されており、前記ねじ付き下部アクチュエータ部分が、前記下部部材とねじ式に係合して、第１の回転方向における前記ねじ付き部材の回転が、前記上部部材を前記下部部材から離して上向きに軸方向に移動させ、前記第１の回転方向とは反対の第２の回転方向における前記ねじ付き部材の回転が、前記上部部材を前記下部部材に向かって軸方向に下向きに移動させる、請求項１９に記載の蓋。
【請求項２１】
前記アクチュエータ部材が、上部アクチュエータ部分およびねじ付き下部アクチュエータ部分を有するねじ付き部材であり、前記上部部材が、それと共に軸方向に移動するために前記上部アクチュエータ部分に取り付けられており、前記ねじ付き下部アクチュエータ部分が、前記下部部材とねじ式に係合して、第１の回転方向における前記ねじ付き部材の回転が、前記上部部材を前記下部部材から離して上向きに軸方向に移動させ、前記第１の回転方向とは反対の第２の回転方向における前記ねじ付き部材の回転が、前記上部部材を前記下部部材に向かって軸方向に下向きに移動させる、請求項１９に記載の蓋。
【請求項２２】
上端開口を備えた内部流体通路を画定する内側本体部分を有する流体容器本体と共に使用するための蓋であって、
前記流体通路内に配置可能であり、下向き方向において内向きにテーパ状になるテーパ部分を有する上部部材と、
前記流体通路内で前記上部部材の下の位置に配置可能な下部部材と、
中央開口を有し、前記上部部材の上に配置され、その周りに延在するリングシールであって、前記リングシールの前記中央開口を通って下向きに移動する前記上部部材の前記内向きテーパ部分に応じて、初期周囲位置から前記初期周囲位置の外向きの密封周囲位置まで外向きに伸張可能であるリングシールと、
第１および第２の動作位置に移動可能なアクチュエータ部材であって、前記第２の動作位置から前記第１の動作位置に移動する前記アクチュエータ部材に応じて、前記アクチュエータ部材が、前記上部部材を前記下部部材に向かって軸方向に下向きに移動させ、前記上部部材の前記内向きテーパ部分のより大きな周囲部分を前記リングシールの前記中央開口に徐々に移動させ、これにより、前記リングシールを前記初期周囲位置から外向きに伸張させ、そこで、前記蓋が、前記密封周囲位置への前記流体通路に配置されているとき、前記リングシールが、前記内側本体部分との流体密な密封係合から外れ、そこで、前記蓋が前記流体通路に配置されているとき、前記伸張されたリングシールが、前記内側本体部分と流体密に密封係合する、アクチュエータ部材と、を備える、蓋。
【請求項２３】
前記アクチュエータ部材が前記第１の動作位置から前記第２の動作位置に移動することに応じて、前記アクチュエータ部材は、前記上部部材を前記下部部材から離して上向きに軸方向に移動させ、前記内向きテーパ部分のより小さな周囲部分を前記リングシールの前記中央開口に徐々に移動させ、これにより、前記リングシールが前記密封周囲位置から前記初期周囲位置まで内向きに収縮することを可能にする、請求項２２に記載の蓋。
【請求項２４】
前記蓋が前記流体通路内に配置されているときに、前記流体容器本体が逆さまにされた場合、前記蓋の重量下で、前記流体通路からの前記蓋の取り外しを阻止するのに十分な力で、前記内側本体部分と係合するようにサイズ設定され、かつ前記下部部材に接続されたグリッパ部材をさらに含む、請求項２２に記載の蓋。
【請求項２５】
前記リングシールが、Ｏリングである、請求項２２に記載の蓋。
【請求項２６】
前記上部部材が、流体分配開口を有し、前記リングシールが外向きに伸張されて、前記内側本体部分との流体密な密封係合になるときに、前記上部部材の下の前記容器本体内の流体は、前記容器本体が傾けられたとき、前記流体分配開口を通って分配されることが防止される、請求項２２に記載の蓋。
【請求項２７】
上端開口を備えた内部流体通路を画定する内側本体部分を有する流体容器本体と共に使用するための蓋であって、
前記流体通路内に配置可能な上部部材と、
前記流体通路内で前記上部部材の下の位置に配置可能な下部部材と、
前記上部部材と前記下部部材との間に配置されたリングシールであって、初期周囲位置から前記初期周囲位置の外向きの密封周囲位置まで外向きに伸張可能なリングシールと、
第１および第２の動作位置に移動可能なアクチュエータ部材であって、前記アクチュエータ部材が、前記第２の動作位置から前記第１の動作位置に移動される際に、前記アクチュエータ部材が、前記上部および下部部材を一緒に軸方向に移動させ、それに応じて、前記上部部材が、前記リングシールを前記密封周囲位置まで外向きに伸張させ、そこで、前記蓋が前記流体通路に配置されているときに、前記伸張されたリングシールが、前記内側本体部分と流体密に密封係合し、かつ、前記アクチュエータ部材が、前記第１の動作位置から前記第２の動作位置に移動される際に、前記アクチュエータ部材が、前記上部および下部部材を離して軸方向に移動させ、それに応じて、前記上部部材が、前記外向きに伸張されたリングシールが前記初期周囲位置まで内向きに移動することを可能にし、そこで、前記蓋が前記流体通路に配置されているとき、前記リングシールが、前記内側本体部分との流体密な密封係合から外れる、アクチュエータ部材と、を備える、蓋。
【請求項２８】
上端開口を備えた内部流体通路を画定する内側本体部分を有する流体容器本体と共に使用するための蓋であって、
初期周囲位置から前記初期周囲位置の外向きの密封周囲位置まで外向きに伸張可能なリングシールと、
第１の動作位置と第２の動作位置との間で移動可能なアクチュエータ部材と、
前記リングシールを前記初期周囲位置から外向きに伸張させるための伸張手段であって、前記アクチュエータが、前記第２の動作位置から前記第１の動作位置に移動することに応じて、前記蓋が、前記密封周囲位置への前記流体通路に配置されているとき、前記リングシールが、前記内側本体部分との流体密な密封係合から外れ、前記蓋が、前記流体通路に配置されているとき、前記伸張されたリングシールが、前記内側本体部分と流体密に密封係合する、伸張手段と、を備える、蓋。
【請求項２９】
前記伸張手段は、前記アクチュエータ部材が、前記第１の動作位置から前記第２の動作位置に移動することに応じて、前記リングシールが、前記密封周囲位置から前記初期周囲位置まで内向きに収縮することをさらに可能にする、請求項２８に記載の蓋。
【請求項３０】
上端開口を備えた内部流体通路を画定する内側本体部分を有する流体容器本体と共に使用するための蓋であって、
初期周囲位置から前記初期周囲位置の外向きの密封周囲位置まで外向きに移動可能なリングシールと、
第１の動作位置と第２の動作位置との間で移動可能なアクチュエータ部材と、
前記リングシールを前記初期周囲位置から外向きに移動するための手段であって、前記アクチュエータが、前記第２の動作位置から前記第１の動作位置に移動することに応じて、前記蓋が、前記密封周囲位置への前記流体通路に配置されているとき、前記リングシールが、前記内側本体部分との流体密な密封係合から外れ、前記蓋が、前記流体通路に配置されているとき、前記リングシールが、前記内側本体部分と流体密に密封係合する、手段と、を備える、蓋。
【請求項３１】
前記アクチュエータ部材が前記第１の動作位置から前記第２の動作位置に移動することに応じて、前記手段がさらに、前記リングシールを前記密封周囲位置から前記初期周囲位置に移動させる、請求項３０に記載の蓋。
【請求項３２】
上端開口を備えた内部流体通路を画定する内側本体部分を有する流体容器本体と共に使用するための蓋であって、
初期周囲から前記初期周囲よりも大きい密封周囲まで外向きに伸張可能なリングシールと、
第１の動作位置と第２の動作位置との間で移動可能なアクチュエータ部材と、
前記リングシールを前記初期周囲から外向きに伸張させるための伸張手段であって、前記アクチュエータが、前記第２の動作位置から前記第１の動作位置に移動することに応じて、前記蓋が、前記密封周囲への前記流体通路に配置されているとき、前記リングシールが、前記内側本体部分との流体密な密封係合から外れ、前記蓋が、前記流体通路に配置されているとき、前記伸張されたリングシールが、前記内側本体部分と流体密に密封係合する、伸張手段と、を備える、蓋。
【請求項３３】
前記伸張手段は、前記アクチュエータ部材が前記第１の動作位置から前記第２の動作位置に移動することに応じて、前記リングシールが、前記密封周囲から前記初期周囲に内向きに収縮することをさらに可能にする、請求項３２に記載の蓋。
【請求項３４】
上端開口を備えた内部流体通路を画定する内側本体部分を有する飲料容器本体と共に使用するための蓋であって、
前記流体通路内に配置可能な上部部材と、
前記上部部材に隣接する前記流体通路内に配置可能な下部部材と、
前記上部部材と前記下部部材との間に配置されたリングシールであって、第１の周囲サイズから前記第１の周囲サイズとは異なる第２の周囲サイズまで外向きに伸張可能なリングシールと、
前記上部および下部部材を互いに対して第１の方向において移動して、前記リングシールを前記第１の周囲サイズから前記第２の周囲サイズに変更し、前記蓋が、前記流体通路に配置されているとき、前記リングシールを前記内側本体部分と流体密な密封係合で配置し、前記上部および下部部材を互いに対して前記第１の方向とは異なる第２の方向において移動して、前記リングシールを前記第２の周囲サイズから前記第１の周囲サイズに変更し、前記蓋が、前記流体通路に配置されているとき、前記リングシールを前記内側本体部分と流体密な密封係合から外して配置することを選択的に行うための手段と、を備える、蓋。
【請求項３５】
上端開口を備えた内部流体通路を画定する内側本体部分を有する飲料容器本体と共に使用するための蓋であって、
前記流体通路内に配置可能な上部部材と、
前記上部部材に隣接する前記流体通路内に配置可能な下部部材と、
前記上部部材と前記下部部材との間に配置されたリングシールであって、第１の周囲サイズから前記第１の周囲サイズとは異なる第２の周囲サイズまで外向きに伸張可能なリングシールと、
前記上部部材および下部部材に動作可能に接続されたアクチュエータ部材であって、前記上部および下部部材を互いに対して第１の方向において移動して、前記リングシールを前記第１の周囲サイズから前記第２の周囲サイズに変更し、前記蓋が、前記流体通路に配置されているとき、前記リングシールを前記内側本体部分と流体密な密封係合で配置し、前記上部および下部部材を互いに対して前記第１の方向とは異なる第２の方向において移動して、前記リングシールを前記第２の周囲サイズから前記第１の周囲サイズに変更し、前記蓋が、前記流体通路に配置されているとき、前記リングシールを前記内側本体部分と流体密な密封係合から外して配置することを選択的に行うことができる、アクチュエータ部材と、を備える、蓋。
【請求項３６】
前記上部部材が、前記下部部材に対する回転に逆らって保持されている、請求項３５に記載の蓋。
【請求項３７】
前記アクチュエータ部材が、上部アクチュエータ部分およびねじ付き下部アクチュエータ部分を有するねじ付き部材であり、前記上部部材が、それと共に軸方向に移動するために前記上部アクチュエータ部分に取り付けられながら、前記上部アクチュエータ部分からは回転可能に切り離されており、ねじ付き下部アクチュエータ部分が、前記下部部材とねじ式に係合して、第１の回転方向における前記ねじ付き部材の回転が、前記上部部材を前記下部部材から離して上向きに軸方向に移動させ、かつ、前記第１の回転方向とは反対の第２の回転方向における前記ねじ付き部材の回転が、前記上部部材を前記下部部材に向かって軸方向に下向きに移動させる、請求項３６に記載の蓋。
【請求項３８】
前記アクチュエータ部材が、上部アクチュエータ部分およびねじ付き下部アクチュエータ部分を有するねじ付き部材であり、前記上部部材が、それと共に軸方向に移動するために前記上部アクチュエータ部分に取り付けられており、前記ねじ付き下部アクチュエータ部分が、前記下部部材とねじ式に係合して、第１の回転方向における前記ねじ付き部材の回転が、前記上部部材を前記下部部材から離して上向きに軸方向に移動させ、前記第１の回転方向とは反対の第２の回転方向における前記ねじ付き部材の回転が、前記上部部材を前記下部部材に向かって軸方向に下向きに移動させる、請求項３５に記載の蓋。
【発明の詳細な説明】
【技術分野】
【０００１】
本発明は、飲料容器およびそれと共に使用するための取り外し可能な蓋、より正確にはプラグ蓋に関する。
【背景技術】
【０００２】
密封機構を有する蓋付きの飲料容器または飲用容器は、当技術分野において既知である。多くの場合、飲料容器本体には、蓋をねじで取り付ける必要がある。ねじで取り付けられた蓋の欠点の1つは、飲料容器本体に蓋を取り付ける、または取り外すのに時間、労力、および動作が必要であること、また、状況によってはそうすることが困難であることである。既知のプラグ蓋は、これらの問題のいくつかを克服するが、プラグ蓋が飲用容器から完全に取り外されない限り、通常、飲用容器から飲むことができない。本体の内径にばらつきがある飲料容器本体で使用するとき、いくつかののプラグ蓋のデザインには密封の問題があり、したがって、容器本体の内壁との良好な流体密封を保証するために、広いサイズの許容範囲を有する蓋が必要である。
【図面の簡単な説明】
【０００３】
【図１】プラグ蓋が第１の動作位置にある飲料容器の上面斜視図である。
【図１Ａ】図１の飲料容器の上面図である。
【図１Ｂ】図１Ａの実質的に線１Ｂ−１Ｂに沿った、図１の飲料容器の断面図である。
【図１Ｃ】図１Ｂの部分拡大図である。
【図２】プラグ蓋が第２の動作位置にある、図１の飲料容器の上面斜視図である。
【図２Ａ】図２の飲料容器の上面図である。
【図２Ｂ】図２Ａの実質的に線２Ｂ−２Ｂに沿った、図２の飲料容器の断面図である。
【図２Ｃ】図２Ｂの部分拡大図である。
【図３】プラグ蓋が第３の動作位置にある、図１の飲料容器蓋の上面斜視図である。
【図３Ａ】図３の飲料容器蓋の上面図である。
【図３Ｂ】図３Ａの実質的に線３Ｂ−３Ｂに沿って取られた、図３の飲料容器蓋の断面図である。
【図３Ｃ】図３Ｂの部分拡大図である。
【図４】プラグ蓋が、図３に示された第３の動作位置にあり、飲用容器の本体から取り外された、図１の飲料容器の上面斜視図である。
【図５】図４の飲料容器の左側立面図である。
【図６】図１の飲料容器の上面分解斜視図である。
【図７】図１の飲料容器の背面立面分解図である。
【図８】図１の飲用容器の左側立面分解図である。
【図９】閉鎖動作位置にあるプラグ蓋の第２の実施形態を有する飲料容器の上面斜視図である。
【図１０】プラグ蓋が閉鎖動作位置にある図９の飲料容器の上面図である。
【図１１】図１０の実質的に線Ａ−Ａに沿って取られた、プラグ蓋が閉鎖動作位置にある図９の飲料容器の断面図である。
【図１２】図１０の実質的に線Ｂ−Ｂに沿って取られた、プラグ蓋が閉鎖動作位置にある図９の飲料容器の断面図である。
【図１３】プラグ蓋が中間動作位置にある図９の飲料容器の上面斜視図である。
【図１４】プラグ蓋が中間動作位置にある図９の飲料容器の上面図である。
【図１５】図１０の実質的に線Ｃ−Ｃに沿って取られた、プラグ蓋が中間動作位置にある、図９の飲料容器の断面図である。
【図１６】図１０の実質的に線Ｄ−Ｄに沿った、プラグ蓋が中間動作位置にある図９の飲料容器の断面図である。
【図１７】プラグ蓋が閉鎖動作位置にある、図９の飲料容器の上面斜視図である。
【図１８】プラグ蓋が閉鎖動作位置にある図９の飲料容器の上面図である。
【図１９】図１０の実質的に線Ｅ−Ｅに沿って取られた、プラグ蓋が閉鎖動作位置にある図９の飲料容器の断面図である。
【図２０】図１０の実質的に線Ｆ−Ｆに沿って取られた、プラグ蓋が閉鎖動作位置にある図９の飲料容器の断面図である。
【図２１】図１０の実質的に線Ａ−Ａに沿った、図９の飲用容器の部分断面の立面分解図である。
【図２２】図１０の実質的に線Ｂ−Ｂに沿った、図９の飲用容器の部分断面の立面分解図である。
【図２３】図９の飲料容器の上面分解斜視図である。
【図２４】図９の飲料容器のシール組立体の上部部材の底面分解斜視図である。
【図２５】図９の飲料容器のシール組立体の下側部材の底面分解斜視図である。
【発明を実施するための形態】
【０００４】
本実施形態による飲用容器または飲料容器１０が、図１〜図８に示されている。飲料容器１０は、実質的に円筒形の本体１２および蓋１４を含む。図示の本体１２は、外側本体１８内に配置され固定された内側本体１６を使用して、断熱を改善するための二重壁構造を有する。図示されていない他の実施形態では、単一壁構造を使用してもよい。
【０００５】
内側本体１６は、中空内部チャンバ１９を形成する下部内側本体部分２０、および上部内側本体部分２２を有する。外側本体１８は、下部外側本体部分２４と、上部外側本体部分２６と、を有する。飲料容器１０が直立位置にあるとき、飲用可能な液体（図示せず）が下部内側本体部分２０に貯留され得る。上部内側本体部分２２は、長手方向軸２９を有する内部流体通路２８と、本体１２の上端にある上端開口３０と、を画定し、飲料容器１０が十分に傾けられるときに、飲用または注ぎ込みのために、下部内側本体部分２０に貯留された液体が、上端開口３０を通って流れることができる。上部内側本体部分２２の上端部分３２と上部外側本体部分２６の上端部分３４は、それらの上端で接合されて、本体１２の上端で飲用口３６を画定し、飲料容器１０が十分に傾けられたとき、下部内側本体部分２０に貯留された液体を飲むために使用者の口を置くことができる。上部外側本体部分２６のあたりに延在するリング部分３７Ａによって、ハンドル３７が本体１２に取り付けられており、使用者が飲料容器１０を保持するのを容易にする。
【０００６】
上部内側本体部分２２は、内部の円周方向に延在する本体内向き突起、または流体通路２８内で内向きに突出する本体隆起３８を有する。本体隆起３８は、上部内側本体部分２２の周囲のあたりに連続的に延在する。本体隆起３８は、内向き方向に下向きに傾斜する円周方向に延在する上壁部分３８Ａと、内向き方向に上向きに傾斜する円周方向に延在する下壁部分３８Ｂと、を有する。記載するように、本体隆起３８は、流体通路２８内にあるときに蓋１４を支持し、流体通路内でのその下向きの移動を制限するための栓として機能する。図示されていない代替実施形態では、本体隆起３８は、連続的でなくてもよい。
【０００７】
蓋１４は、液体の貯留、輸送、および飲用のための飲料容器１０を使用するために、上端開口３０を通って流体通路２８に使用者によって挿入可能であり、飲料容器の蓋および／または本体１２を洗浄するため、使用者が望むときにそこから取り外すことができるプラグタイプのクロージャである。蓋１４は、３つの状態、すなわち、図１、図１Ａ、図１Ｂおよび図１Ｃに示されるように閉鎖され、かつしっかりと保持された状態、図２、図２Ａ、図２Ｂ、および図２Ｃに示されるように開放されているが保持された状態、ならびに図３、図３Ａ、図３Ｂ、図３Ｃ、図４、および図５に示されているように開放され、かつ取り外し可能な状態の間を移動するように動作することができる。図１、図１Ａ、図１Ｂ、および図１Ｃに示される、閉鎖され、かつしっかりと保持された状態では、流体通路２８は閉鎖されているため、飲料容器１０から液体を飲むことができず、蓋１４を本体１２から取り外すことができない（または流体通路に挿入できない）。図２、図２Ａ、図２Ｂ、および図２Ｃに示す、開放されているが保持された状態では、蓋１４は、飲用に開放されるが、意図しない取り外しに逆らって流体通路２８内に保持される。図３、図３Ａ、図３Ｂ、図３Ｃ、図４および図５に示す、開放され、かつ取り外し可能な状態では、蓋１４は、開いているが流体通路２８内には保持されておらず、下部内側本体部分２０を液体で満たすために、または蓋および／もしくは本体１２を洗浄するために使用者が取り外し可能である。飲料容器１０の個々の構成要素部品は、図６、図７、および図８の分解図に別々に示されている。
【０００８】
蓋１４は、上部シールキャリア４０、下部シールキャリア４２、および可撓性管状シール４４を含む。上部シールキャリア４０は、上部４０Ａ、およびより小さな直径の下部４０Ｂを有する。上部シールキャリア４０の上部４０Ａは、蓋１４が使用者によって上端開口３０を通って流体通路２８に挿入されるとき、本体隆起３８によって係合および支持されるようにサイズ設定されており、一方、下部シールキャリア４２は、本体隆起３８のそばを通過し、本体隆起の下の流体通路内に存在するように、より小さく、サイズ設定されている。蓋１４が流体通路２８内に配置されるとき、上部シールキャリア４０、下部シールキャリア４２、および管状シール４４は、流体通路２８内に同軸に配設される。上部シールキャリア４０および下部シールキャリア４２は、軸方向に離間されており、各々は、長手方向軸２９を横切って延在する。以下でより詳細に記載されるように、下部シールキャリア４２は、流体通路２８内で上部シールキャリア４０に対して軸方向に移動可能である。
【０００９】
管状シール４４は、単一の畳み込みを備えた、ふいごの形状を有し、軟質シリコン材料で作製されてもよい。管状シール４４は、上部シールキャリア４０に密閉して取り付けられた円周上端部分４６と、下部シールキャリア４２に密閉して取り付けられた円周下端部分４８と、を有する。管状シール４４は、薄い周囲側壁４４Ａと、周囲側壁内に位置し、管状シールの上端部分４６および下端部分４８の全長に延在する中空内部空間４４Ｂと、を有する。内部空間４４Ｂは、図３、図３Ａ、図３Ｂ、図４、および図５に示される、開放された、かつ取り外し可能な状態にあるとき、図示の実施形態では、流体通路２８の内部断面積のかなりの部分に及び、流体通路の内部断面積の約９３％、好ましくは流体通路の内部断面積の少なくとも５０％にわたる。管状シール４４は、その上端部分４６と下端部分４８との間で完全に延在する、略管状の可撓性周囲側壁４４Ａおよび中空内部空間４４Ｂを有するように示されているが、側壁および内部空間は、他の形状および構成を有してもよい。
【００１０】
蓋１４が流体通路２８内に配置されるとき、上部シールキャリア４０の上部４０Ａは、本体１２の上部内側本体部分２２の本体隆起３８の上部より上に配置されて、これと係合し、上部シールキャリアを支持し、流体通路内での蓋のさらなる下向きの移動を防止する。蓋１４がそのように配置されるとき、上部シールキャリア４０の上部４０Ａの周囲側壁５０は、飲料容器１０が十分に傾けられ、図２、図２Ａ、図２Ｂおよび図２Ｃに示すように、蓋が、開放されているが保持された状態にあるとき、または図３、図３Ａ、図３Ｂおよび図３Ｃに示すように、開放され、かつ取り外し可能な状態（ただし、開放され、かつ取り外し可能な状態では、蓋は流体通路内にしっかりと保持されていない）にあるとき、液体が飲用に通過することができる上部シールキャリアの上部の周囲で内向きに窪んだ領域によって形成された飲料分配開口５４を除いて、上部内側本体部分２２の上部内部壁面部分５２に隣接して配置される。
【００１１】
蓋１４が流体通路２８内に配置され、上部シールキャリア４０の上部４０Ａが本体隆起３８より上に配置されてこれと係合するとき、下部シールキャリア４２の周囲側壁５６は、上部内側本体部分２２の下部内部壁面部分５８から離れて内向きに配置される。これは、周囲側壁５６と下部内部壁面５８との間に、円周方向に延在する周囲流体流路６０を形成し、飲料容器１０が十分に傾けられたときに液体が飲用に周囲流体流路６０を通過することができる。
【００１２】
上部シールキャリア４０の下部４０Ｂは、周囲側壁６２を有し、管状シール４４の上端部分４６の上縁部分６４内に配置される。上部シールキャリア４０の下部４０Ｂの周囲側壁６２は、管状シール４４の上縁部分６４がその上に延在する、円周方向に延在する外向きに面する突起６６を有し、突起６６を上縁部分の円周方向に延在する内向きに面する溝６８に配置して、上縁部分を上部シールキャリア４０に密封して固定する。
【００１３】
上部シールキャリア４０の上部４０Ａの周囲側壁５０は、円周方向に延在する外向きに面する溝７０を有し、その中に周方向に延在するシール７２が配置され、蓋１４が、飲料分配開口５４を除いて流体通路２８内に配置されるときに、上部シールキャリア４０と上部内側本体部分２２の上部内部壁面部分５２との間に流体密封を提供する。
【００１４】
下部シールキャリア４２は、管状シール４４の下端部分４８の下縁部分７４内に、少なくとも部分的に配置される。下部シールキャリア４２の周囲側壁５６は、円周方向に延在する外向きに面するスロット７６を含み、その中で、下縁部分７４の端部７５は、下縁部分７４を下部シールキャリア４２に密封して固定するように配置および固定される。
【００１５】
管状シール４４の中間部分７７は、大部分が上部シールキャリア４０および本体隆起３８の下に配置される、円周方向に外向きに突出する拡張膨らみを有する。中間部分７７は、円周方向に延在する上壁部分７７Ａと、円周方向に延在する下壁部分７７Ｂと、を有する。以下でより詳細に記載されるように、下部シールキャリア４２を上向きに移動して上部シールキャリア４０に近づけることによって、中間部分７７が圧縮されるとき、上壁部分７７Ａと下壁部分７７Ｂとが一緒に近づき、上壁部分７７Ａが本体隆起３８に近づく。図１、図１Ａ、図１Ｂ、および図１Ｃに示された、閉鎖され、かつしっかりと保持された状態では、上壁部分７７Ａは、本体隆起３８に押し付けられて、それらの間に流体密封を提供し、流体通路２８を閉鎖し、それにより、飲用容器が傾けられたときでさえ、下部内側本体部分２０に貯留された流体が、流体通路６０を通って飲料分配開口５４へ上向きに流れるのを防止する。図示の実施形態では、上壁部分７７Ａは、本体隆起３８の下壁部分３８Ｂを押圧する。
【００１６】
コネクタ部材７８は、下側シールキャリアの軸方向移動に伴うコネクタ部材の軸方向移動のために、下側シールキャリア４２の内部ねじ付き中央開口８０にねじ式に受容される外部ねじ付きベース部分７９を有する。コネクタ部材７８は、管状シールの周囲側壁４４Ａの内向き、かつ内部空間４４Ｂ内に位置されたリフタ部材８２を有し、リフタ部材８２は、下部シールキャリア４２から上部シールキャリア４０の中央開口８４を通って軸方向上向きに突出する。リフタ部材８２の上端部分８６は、上部シールキャリア４０の上に延在し、横方向リフタ部材ボア８８を有する。
【００１７】
カム部材９０は、上部シールキャリア４０のあたりに配置され、その下端に位置された一対の離間したカム部分９２および９４を有する。リフタ部材８２の上端部分８６は、カム部分９２とカム部分９４との間に配置されている。カム部分９２および９４は各々、リフタ部材ボア８８と軸方向に整列する横方向カム部分ボア９６を有する。ピボットピン９８は、カム部分ボア９６およびリフタ部材ボア８８を通って延在し、リフタ部材８２の上端部分８６にカム部材９０を回転可能に取り付けて、横回転軸１００を中心としたカム部材９０の回転を可能にする。
【００１８】
カム部材９０は、カム部材のカム部分９２および９４が、ハンドル部分と共に回転するためにしっかりと取り付けられているハンドル部分１０２を有する。カム部分９２および９４の各々は、ピボットピン９８を横切ってハンドル部分１０２から離れる反対方向に延在する第１のカム１０４および第２のカム１０６を有し、第１のカム１０４の両方はハンドル部分の一方の側に延在し、第２のカム１０６の両方はハンドル部分の反対側に延在する。第１のカム１０４は、第２のカム１０６よりも長く、第２のカムより大きなリフト量を提供する。ハンドル部分１０２は、図１、図１Ａ、図１Ｂ、および図１Ｃに示される第１の回転／動作位置と、図２、図２Ａ、図２Ｂ、および図２Ｃに示される第２の回転／動作位置と、図３、図３Ａ、図３Ｂ、および図３Ｃに示される第３の回転／動作位置との間でピボットピン９８を中心に回転可能である。ハンドル部分１０２の第３の回転／動作位置は、ハンドル部分の第１および第２の回転／動作位置の間に位置する。ハンドル部分１０２の回転は、第１および第２のカム１０４および１０６の回転を直接引き起こす。ハンドル部分１０２は、カム部分９２および９４から離れて突出し、ピボットピン９８を中心にカム部材９０の回転、ならびにその第１、第２、および第３の回転／動作位置の間でのハンドル部分１０２の回転について、使用者が把持するためのグリップを提供する。ハンドル部分１０２は、使用者の少なくとも１本の指が、そこにすっぽり入り、カム部材９０の回転、または流体通路２８からの蓋１４の取り外しおよび流体通路への蓋の挿入のために、ハンドル部分の把持を容易にすることを可能にするようにサイズ設定された中央開口１０８を有する。
【００１９】
ハンドル部分１０２が、図３Ｂおよび図３Ｃに最もよく示されているように第３の動作位置にあり、ハンドル部分１０２が真上に延在しているとき、第１および第２のカム１０４および１０６は、反対方向に横方向外向きに、長手方向軸２９を横切って延在し、上部シールキャリア４０の上面１１０に略平行に配向される。この位置では、下部シールキャリア４２が上部シールキャリア４０の下に最大距離で配置されているため、可撓性管状シール４４は、蓋１４を流体通路２８から取り外すときと、蓋１４を流体通路に挿入するときの両方で、本体１２の上部内側本体部分２２の本体隆起３８を越えて容易に移動できる幅を有する中間部分７７で軸方向に伸張される。この位置では、蓋１４は、開放されているが、流体通路２８内には保持されておらず、使用者が下部内側本体部分２０を液体で満たすために、または蓋および／もしくは本体１２を洗浄するために取り外すことができる。
【００２０】
ハンドル部分１０２が第３の動作位置から第１の動作位置に回転され、ハンドル部分１０２が回転して（図１Ｂに見られるように）左に延在するとき、図１Ｂに最もよく示されているように、より長い第１のカム１０４は、反時計回りに回転されて、（本体隆起３８の上にある）上部シールキャリア４０の上面１１０と係合し、リフタ部材８２に上向きの軸方向の力を加え、リフタ部材８２は、その上向きの持ち上げ力を下部シールキャリア４２に伝達し、下部シールキャリアを上部シールキャリア４０に近づける。この移動の間、より短い第２のカム１０６は、上面１１０と接触していない。これにより、管状シール４４が半径方向外向きに（長手方向の本体軸２９を横切って）屈曲し、したがって、管状シールの中間部分７７の外向きの膨らみの横幅を十分に大きくし、本体１２の上部内側本体部分２２の本体隆起３８の下部と流体密に密封係合するように中間部分を移動させ、それとの流体密圧縮シールを作成する。この位置では、下部シールキャリア４２は、可撓性管状シール４４が圧縮されるように、上部シールキャリア４０の下に最小距離に配置される。その結果、蓋１４は閉鎖され、かつ流体通路２８内にしっかりと保持されるので、液体が流体通路２８をまったく通過せず、飲料容器１０から飲用することができず、蓋１４を本体１２から取り外すことができない。蓋１４が流体通路２８から取り外された状態で、ハンドル部分１０２が第１の動作位置に移動された場合、管状シール４４の拡張された中間部分７７は、蓋１４が流体通路に再挿入されるのを防止する。
【００２１】
ハンドル部分１０２が第３の動作位置から第２の動作位置に回転され、ハンドル部分１０２が回転して（図２Ｂに見られるように）右に延在するとき、図２Ｂに最もよく示されているように、短い第２のカム１０６は時計回りに回転されて、（本体隆起３８の上にある）上部シールキャリア４０の上面１１０と係合し、リフタ部材８２に上向きの軸方向の力を加え、リフタ部材８２は、その上向きの持ち上げ力を下部シールキャリア４２に伝達し、下部シールキャリアを上部シールキャリア４０に近づける。この移動の間、より長い第１のカム１０４は、上面１１０と接触していない。これにより、管状シール４４が半径方向外向きに（長手方向の本体軸２９を横切って）屈曲し、したがって、管状シールの中間部分７７の外向きの膨らみの横幅を大きくするが、それが本体１２の上部内側本体部分２２の本体隆起３８の下部に密封係合し、したがって流体通路２８を通る液体の流れを閉鎖しないほど十分ではない。この位置では、下部シールキャリア４２は、上部シールキャリア４０の下に中間距離に配置され、中間距離は、ハンドル部分１０２が第１の動作位置にあるときに生じる最小距離よりも大きいが、ハンドル部分が第３の動作位置にあるときに生じる最大距離よりも小さい。その結果、可撓性管状シール４４は、ハンドル部分１０２が第１の動作位置にあるときと比較して、部分的にのみ圧縮される。管状シール４４の部分的な圧縮により、中間部分７７が十分に外向きに移動し、本体隆起３８の下部と係合して、流体通路２８内からの蓋１４の取り外しを阻止し、蓋が、上部内側本体部分２２の上端開口３０に向かって蓋を移動させようとする軸方向の力の移動を経験する場合の意図しない取り外しを防止し、一方で、飲料容器１０からの液体の飲用を依然として可能にする。例えば、ハンドル部分１０２が第２の動作位置にあるとき、飲料容器１０からの飲用中または飲料容器１０の運搬中にそれを十分に傾けるか、上向きに震動させると、軸力が蓋１４に加えられ、蓋を流体通路２８から外してしまうであろうことから、そうなる前に、管状シール４４の拡張された中央部分７７が本体隆起３８の下部と係合するように移動し、それにより、意図しない蓋の取り外しを防止する。設計のために選択された管状シール４４の圧縮の程度に応じて、使用者は、ハンドル部分１０２に十分な意図的な上向きの力を加えて、中間部分７７を十分内向きに撓ませ、蓋１４を流体通路２８から依然として取り外すことができ得る。
【００２２】
３つの位置の蓋１４により、使用者は、意図しない蓋の取り外しに逆らって、同時に流体通路２８内に蓋を確実かつ安全に保持しながら、飲用容器１０から飲むことができ、かつ、蓋を流体通路から取り外すこと、または蓋を流体通路に再挿入することを必要とせずに、飲用に流体通路を開放し、輸送用に流体通路を閉鎖することができる。これらの動作および特徴は、蓋１４を取り外すことおよび再挿入することなく、ハンドル部分をその３つの動作位置の間で回転させるだけで簡単に達成される。
【００２３】
本実施形態による飲用容器または飲料容器２００の代替実施形態が図９〜図２５に示されている。飲料容器は、図９〜図１２では閉鎖状態で示されている。飲料容器２００は、実質的に円筒形の本体２１２および蓋２１４を含む。本体１２について上で考察したように、本体２１２は、外側本体内に配置され、固定された内側本体を使用して、断熱を改善するために二重壁構造を有してもよい。この図示された代替実施形態では、本体２１２は、単一壁構造を有し、二重壁構造では、飲料容器が内側本体として機能する。
【００２４】
本体２１２は、中空内部チャンバ２１８を画定する下部本体部分２２０および上部本体部分２２２を有する。飲用可能な液体（図示せず）は、飲料容器２００が直立位置にあるときに、下部本体部分２２０に貯留されてもよい。図１１および図１２に示されるように、上部本体部分２２２は、長手方向軸２２９を備えた内部流体通路２２８と、上部本体部分２２２の上端に上端開口２３０と、を有し、飲料容器２００が十分に傾けられるときに、飲用または注ぎ込みのために、下部本体部分２２０に貯留された液体がそれを通って流れことができる。上部本体部分２２２の上端部分２３２は、本体２１２の上端で飲用口を画定し、飲料容器２００が十分に傾けられたとき、下部本体部分２２０に貯留された液体を飲むために使用者の口を配置することができる。本体２１２は、使用者が飲料容器２００を保持するのを容易にするためのハンドル２１６を含み得る。
【００２５】
上部本体部分２２２は、内部の円周方向に延在する内向き突起、または流体通路２２８内で内向きに突出する本体隆起２３８を有する。本体隆起２３８は、上部本体部分２２２の周囲のあたりに連続的に延在する。本体隆起２３８は、内向き方向に下向きに傾斜する円周方向に延在する上壁部分２３８Ａと、内向き方向に上向きに傾斜する円周方向に延在する下壁部分２３８Ｂと、上壁部分と下壁部分の間に配置された円周方向に延在する垂直中間壁部分２３８Ｃと、を有する。記載するように、本体隆起２３８は、流体通路２２８内にあるときに蓋２１４を支持し、流体通路内での蓋の下向きの移動を制限するための栓として、また、流体通路内にあるときに蓋がグリップして、流体通路内での意図しない上向きの移動を阻止する係合面として機能する。図示されていない代替実施形態では、本体隆起２３８は連続的でなくてもよい。
【００２６】
上部本体部分２２２はさらに、流体通路２２８内で、本体隆起２３８の上、かつ上端開口２３０の下の場所で、内部に内向きに開口し、円周方向に延在する上部本体凹部２４０を有し、上部端開口２３０は、以下でより詳細に記載するように、上部本体部分の内周のあたりに連続的に延在し、シール座として機能する。凹部２４０の上縁壁２４２は、流体通路２２８内に内向きに突出する。
【００２７】
蓋２１４は、液体を貯留、輸送および飲用するために飲料容器２００を使用するための上端開口２３０を通って流体通路２２８に使用者によって挿入可能であり、飲料容器の蓋および／または本体２１２を洗浄するため、使用者が望むときにそこから取り外すことができるプラグタイプのクロージャである。蓋２１４は、２つの状態、すなわち、図９〜図１２に示されるように閉鎖され、かつしっかりと保持された第１の状態と、図１７〜図２０に示されるように開放され、かつ保持されているが、簡単に取り外し可能な第２の状態の間を移動するように動作することができる。図１３〜図１６は、以下でより詳細に記載されるように、第１の（閉鎖）状態と第２の（開放）状態との間を遷移するときに蓋が移動する中間位置にある蓋２１４を示す。
【００２８】
第１の（閉鎖）状態では、蓋２１４は閉鎖され、かつ流体通路２２８内にしっかりと保持されるので、飲料容器２００から液体を飲むことまたは零すことはできず、蓋は、本体２１２から取り外す（または流体通路に挿入する）ことができない。第２の（開放）状態では、蓋２１４は飲用に開かれ、意図しない取り外しに逆らって流体通路２２８内に保持されるが、使用者によって十分な上向きの力が加えられると、蓋は、下部本体部分２２０を液体で満たすために、または蓋および／もしくは本体２１２を洗浄するために取り外し可能である。飲料容器２００の個々の構成要素部品は、図２１〜図２３の分解図ならびに図２４および図２５の構成要素図に別々に示されている。
【００２９】
蓋２１４は、上部部材２４６、下部部材２４８ならびに伸張性および弾力性のあるリングシール２５０有するシール組立体２４４を含む。図示の実施形態では、リングシール２５０はＯリングであるが、他の形状のリング型シールを使用してもよい。上部部材２４６は、円周方向に延在する周囲上部部材部分２４６Ａ、円周方向に延在するより小さな直径の周囲下部部材部分２４６Ｂ、および上部部材部分と下部部材部分の間に配置された円周方向に延在する周囲中間部材部分２４６Ｃを有する。周囲上部部材部分２４６Ａの内向きに窪んだ領域によって形成された飲料分配開口２４７は、飲料容器２００が十分に傾けられ、蓋が第２の（開放）状態にあるときに液体が飲用に通過するために設けられている。周囲下部部材部分２４６Ｂは、円周方向に延在する垂直な外向きに面する周囲壁２５２を有し、周囲中間部材部分２４６Ｃは、円周方向に延在する外向きに面する周囲の円滑な傾斜壁２５４を有し、これは、円錐壁断面L264の形状で外向き方向に上向きに傾斜する。
【００３０】
上部部材２４６の周囲下部部材部分２４６Ｂは、周囲上部部材部分２４６Ａよりも小さい直径を有し、凹部２４０の上縁壁２４２のそばを通過して、周囲中央部材部分２４６Ｃの壁２５４を凹部の内向きに配置するようにサイズ設定される。凹部２４０の上端壁２４２を通過して周囲中間部材部分２４６Ｃの壁２５４を内向きに配置するようにサイズ設定される。蓋２１４が、第２の（開放）位置にある状態のリングシール２５０が図１９および図２０に示されており、凹部２４０の真向かいかつ凹部の内向きの垂直位置で上部部材２４６の周囲下部部材部分２４６Ｂの壁２５２に取り付けられ、その周りに延在する。この位置では、リングシール２５０は、初期の周囲位置にあり、壁２５２の外径／周囲と同じサイズの初期の内径／周囲、および初期の外径／周囲を有する。以下で記載するように、上部部材２４６は、下部部材２４８に対して使用者によって上下に移動可能であり、その移動中、リングシール２５０は、周囲下部部材部分２４６Ｂの壁２５２と、周囲中間部材部分２４６Ｃの傾斜壁２５４上の位置との間で、上部部材２４６に対して上下に移動可能である。
【００３１】
蓋２１４の下部部材２４８は、円周方向に延在する周囲上部部材部分２４８Ａと、より小さな直径の円周方向に延在する周囲下部部材部分２４８Ｂを有する。下部部材２４８の周囲上部部材部分２４８Ａは、蓋２１４が、使用者によって、上端開口２３０を通って流体通路２２８に挿入され、流体通路内にあるときに下部部材２４８を支持し、その下向きの移動を制限するときに、本体隆起２３８の上壁部分２３８Ａに係合し、それによって支持されるようにサイズ設定されている。図示の実施形態では、周囲上部部材部分２４８Ａは、円周方向に延在する離間した４つの周囲壁セクション２４８Ａ−１、２４８Ａ−２、２４８Ａ−３、および２４８Ａ−４を有し、図１２、図１６および図２０に最もよく示されているように、蓋２１４が使用者によって流体通路２２８に挿入されるとき、各々が、本体隆起２３８の上壁部分２３８Ａに係合し、それによって支持されるサイズおよび位置にある。
【００３２】
周囲下部部材部分２４８Ｂは、周囲上部部材部分２４８Ａよりも小さい直径を有し、本体隆起２３８の上壁部分２３８Ａのそばを通過し、本体隆起の中間壁部分２３８Ｃの反対側の流体通路２２８内に存在するようにサイズ設定されている。図示の実施形態では、周囲下部部材部分２４８Ｂは、各々が、円周方向に延在する溝２５６を有する、円周方向に延在する離間した４つの周囲壁セクション２４８Ｂ−１、２４８Ｂ−２、２４８Ｂ−３および２４８Ｂ−４を有し、溝の内には、蓋２１４が第1の（閉鎖）状態と第2の（開放）状態の間で移動するように動作される際、および飲料容器２００が飲用のために傾けられるとき、下部部材２４８の上向きの移動に抵抗するのに十分な摩擦力で中間壁部分２３８Ｃに摩擦係合するようにサイズ設定された摩擦部材２５８が配置されている。しかしながら、摩擦力は、使用者が下部本体部分２２０を液体で満たすため、または蓋および／もしくは本体を洗浄するために、本体２１２から蓋を取り外す目的で、下部部材２４８および蓋２１４全体を手動で上向きに移動させることを防止するほど大きくはない。周囲下部部材２４８Ｂの離間した周囲壁セクション２４８Ｂ−１、２４８Ｂ−２、２４８Ｂ−３、および２４８Ｂ−４は、周囲上部部材部分２４８Ａの離間した周囲壁セクション２４８Ａ−１、２４８Ａ−２、２４８Ａ−３、および２４８Ａ−４のすぐ下に配置され、それと同一の広がりを有する。
【００３３】
下部部材２４８は、周囲上部部材部分２４８Ａの内向きに、円周方向に分布した４つの開口２６０を有し、各々は、上部および下部部材２４６ならびに２４８が組み立てられるとき、対応して垂直方向に配置された上部部材２４６の細長い４つのガイド部材２６２のうちの１つをスライド可能に受容するようにサイズ設定されている。開口２６０内のガイド部材２６２のスライド可能な配置は、上部部材が使用者によって下部部材に対して上向きおよび下向きに移動され、蓋２１４をその第１の（閉鎖）状態と第２の（開放）状態の間で移動する際に、下部部材２４８に対する上部部材２４６の回転を防止する。
【００３４】
下部部材２４８に対する上部部材２４６の上下移動を提供するために、上部部材は、円滑な内部側壁２６８を有する軸方向に向けられた開口２６６を備えた中央カラー部分２６４を有する。蓋２１４の下部部材２４８はまた、上部部材２４６の開口２６６と軸方向に整列した、軸方向に向けられた開口２７２を備えた中央カラー部分２７０を有する。開口２７２は、ねじ山２７４を備えた内壁を有する。
【００３５】
蓋２１４はさらに、上端に手動で把持可能なハンドル２７８を有し、下部部材２４８の開口２７２の内部ねじ山２７４のねじ山と一致する外部ねじ山２８２と外部でねじ込まれている下端部分２８０を有する、軸方向に配向された手動操作可能なアクチュエータ部材２７６を含む。蓋２１４が組み立てられるとき、アクチュエータ部材２７６は、上部部材２４６の円滑な側壁開口２６６と、アクチュエータ部材のねじ付き下端部分２８０をねじ式に受容する下部部材２４８のねじ付き開口２７２と、を通って延在する。ハンドル２７８の下でねじ付き下端部分２８０の上にあるアクチュエータ部材２７６の上部は、リングシール２８６を受容するようにサイズ設定された第１の円周方向に延在する溝２８４を有する。蓋２１４が組み立てられるとき、シール２８６は、上部部材２４６の開口２６６内に位置され、円滑な内部側壁２６８と流体密に密封係合する。
【００３６】
第２の円周方向に延在する溝２８８は、アクチュエータ部材２７６の下端部分２８０に、第１の溝２８４の下で、下端部分のねじ山２８２の上に設けられ、第１のＣクリップ２９０を受容するようにサイズ設定されている。蓋２１４が組み立てられるとき、第１のＣクリップ２９０は、上部部材２４６のカラー部分２６４の下に位置され、上部部材２４６に対するアクチュエータ部材の回転運動を可能にし、アクチュエータ部材が下部部材２４８に対して上向きに移動するとき、アクチュエータ部材で上部部材を上向きに運搬する。アクチュエータ部材２７６のハンドル２７８は、第１の溝２８４の上に配置され、蓋２１４が、上部部材２４６に対するアクチュエータ部材の回転運動を可能にし、端壁と第１のＣクリップ２９０との間にカラー部分２６４を捕捉するように組み立てられるとき、上部部材２４６のカラー部分２６４の上端２６６Ａとスライド係合する、円周方向に延在する下端壁２９２を有する。このようにして、アクチュエータ部材２７６と上部部材２４６は一緒に上向きおよび下向きに進むが、アクチュエータ部材は上部部材に対して回転可能であり、下部部材２４８に対する長手方向軸２２９に沿った上部部材の位置を制御する。
【００３７】
第３の円周方向に延在する溝２９４は、下端部分のねじ山２８２の下のアクチュエータ部材２７６の下端部分２８０に設けられ、第２のＣクリップ２９６を受容するようにサイズ設定されている。蓋２１４が組み立てられるとき、第２のＣクリップ２９６は、下部部材２４６のカラー部分２７０の下に位置し、下部部材２４８に対するアクチュエータ部材２７６の回転運動を可能にする一方で、アクチュエータ部材の回転から生じるカラー部分２７０内でのアクチュエータ部材の上向き移動を制限する。
【００３８】
第１のＣクリップ２９０および第２のＣクリップ２９６は、アクチュエータ部材２７６の十分な軸方向移動を可能にするために軸方向に離間されており、したがって、下部部材２４８に対して、上部部材と共に移動する上部部材２４６が、蓋２１４を、下部部材２４８に対するアクチュエータ部材２７６の回転から生じる第１の（閉）状態と第２の（開放）状態との間で完全に移動させることを可能にする。アクチュエータ部材２７６が第１の回転方向（図示の実施形態では上から見て反時計回り）に回転するとき、アクチュエータ部材のねじ山２８２と下部部材の内部ねじ山２７４とのねじ係合により、上部部材２４６が下部部材２４８に対して上向きに移動し、したがって、蓋２１４が、図１７〜図２０に示す第２の（開放）状態に向けて移動し、アクチュエータ部材が反対の第２の回転方向（時計回り）に回転するとき、アクチュエータ部材のねじ山と下部部材の内部ねじ山とのねじ係合により、上部部材が下部部材に対して下向きに移動し、したがって蓋２１４が、図９〜図１２に示されるその第１の（閉鎖）状態に向かって移動する。下部部材２４８に対する上部部材２４６の全軸方向移動は、第１および第２のＣクリップ２９０および２９６の間の軸方向間隔よりも大きくない。
【００３９】
蓋２１４が流体通路２２８内に配置されるとき、上部部材２４６、下部部材２４８、リングシール２５０、およびアクチュエータ部材２７２は、流体通路内に同軸に配設され、長手方向軸２２９と軸方向に整列する。図示の実施形態の本体２１２は円筒形であるので、上部部材２４６および下部部材２４８は、蓋２１４が配置される内部流体通路２２８の内部形状に対応するように略円盤形である。
【００４０】
蓋２１４が、その第２の（開放）状態で図１７〜図２０に示されており、リングシール２５０は、本体２１２の上部本体部分２２２の凹部２４０のすぐ反対側の、内向きに離間した場所において、上部部材２４６の周囲下部部材部分２４６Ｂの壁２５２上の位置にある。蓋２１４がこの状態にあるとき、円周方向に延在するギャップ２９８は、本体２１２の上部本体部分２２２とリングシール２５０との間、および上部本体部分とシールアセンブリ２４４の上部部材２４６との間にも存在する。下部本体部分２２０内の液体は、飲料容器２００が十分に傾けられたときにギャップ２９８を通過し、使用者による飲用のために飲料分配開口２４７を通って分配され得る。周囲下部部材２４８Ｂの周囲壁セクション２４８Ｂ−１、２４８Ｂ−２、２４８Ｂ−３、および２４８Ｂ−４は、蓋２１４がその第２の（開放）状態にあるとき、本体隆起２３８の中間壁部分２３８Ｃと接触している一方で、これらの周囲壁セクションの間の空間は妨げられず、下部本体部分２２０内の液体はそれらの空間を通過することができることに留意されたい。第２の（開放）状態を達成するために、アクチュエータ部材２７６は、第１の回転方向で回転され、上部部材２４６を下部部材２４８から離れて軸方向上向きに移動させる。
【００４１】
蓋２１４が、第１の（閉鎖）状態で図９〜図１２に示されており、リングシール２５０は、本体２１２の上部本体部分２２２の凹部２４０内の着座位置にある。この位置では、ギャップ２９８は完全に閉鎖され、リングシールは本体２１２の上部本体部分２２２と流体密な密封係合状態にあり、したがって、下部本体部分２２０内の液体が、飲料分配開口２４７、一般には上部本体部分の内部流体通路２２８の上端開口２３０に流れるのを防止する。第１の（閉鎖）状態を達成するために、アクチュエータ部材２７６は、第２の回転方向で回転され、上部部材２４６を下部部材２４８に近づくように軸方向下向きに移動させる。
【００４２】
蓋２１４が、図１７〜図２０に示す第２の（開放）状態にあり、リングシール２５０が、上部部材２４６の周囲下部部材部分２４６Ｂの壁２５２上の位置にあるとき、リングシールは、下部部材２４８の周囲上部部材部分２４８Ａの円周方向に延在する上向きに面する上端壁３００の真上に位置し、上部部材２４６の壁２５２の外径と同じサイズであるその初期内径および初期断面サイズを有する。端壁２９８は、以下で記載するように、リングシール２５０の下向きの移動を制限するための停止部材として機能する。蓋２１４を第１の（閉鎖）状態に向けて移動するために、アクチュエータ部材２７６は、第２の回転方向で回転され、アクチュエータ部材のねじ山２８２と下部部材の内部ねじ山２７４とのねじ係合の結果として、上部部材２４６を下部部材２４８に向かって軸方向下向きに移動させる。
【００４３】
上部部材２４６が下向きに移動すると、上部部材２４６の周囲下部部材部分２４６Ｂの壁２５２に配置されているリングシール２５０に下向きの力が加えられ、リングシールを下向きに運搬させて、まだそのような係合状態にない場合、下部部材２４８の周囲上部部材部分２４８Ａの上端壁３００と係合させる。リングシール２５０と上端壁３００との係合は、リングシールのさらなる下向きの移動を防止する。その結果、リングシール２５０が静止したままであるときに、上部部材２４６が下部部材２４８に向かって継続的に下向きに移動すると、壁２５２を下向き、最終的には、それをリングシールの内部から外れるように移動させ、傾斜壁２５４の下端部２５４Ａをリングシールの内部に移動させるのに十分に移動させる。
【００４４】
上部部材２４６が下向きに移動し続けると、下向きの力が傾斜壁２５４によって継続して加えられる。傾斜壁２５４がリングシール２５０に対してさらに下向きに移動すると、傾斜壁の漸進的に大きな直径の部分が、リングシールの内部に配置され、それにより、外向きに向けられた半径方向の伸張力をリングシールに加え、リングシールをその初期周囲位置から半径方向外向きに漸進的に伸張させ、リングシールを円周方向に伸張させ、最終的にリングシールがその初期周囲位置から凹部２４０の密閉周囲位置まで半径方向外向きに移動し、本体２１２の上部本体部分２２２と流体密の密封係合状態になるまで、リングシールの円周／周囲と直径／幅を大きくし、そこで、リングシールは、シールの内径／周囲と、シールの外径／周囲、およびその初期断面サイズよりも小さい断面サイズを有する。リングシール２５０がそのように配置されるとき、蓋２１４は、図９〜図１２に示されるその第１の（閉鎖）状態にある。
【００４５】
下部部材２４８は、上部部材２４６が、下部部材２４８に向かって軸方向下向きに移動するときに、上部部材２４６の周囲下部部材部分２４６Ｂを内部に受容するように、周囲上部部材部分２４８Ａの内向きに配置された、円周方向に延在する上向きに開口した凹状領域３０２を有する。凹状領域３０２は、リングシール２５０が、本体２１２の上部本体部分２２２と流体密な密封係合になるように十分に凹部２４０内に移動されるように十分に外側に伸張される前に、周囲下部部材部分２４６Ｂの下向きの移動が、周囲上部部材部分２４８Ａの上端壁３００と係合するのを回避するのに十分に大きくて深い。
【００４６】
なお、使用者がアクチュエータ部材２７６を第２の回転方向で回転させて、上部部材２４６を下部部材２４８に向かって下向きに動かし、それによって蓋２１４を第１の（閉鎖）状態に向かって移動させるとき、下部部材は、本体隆起２３８の中間壁部分２３８Ｃに摩擦係合する、周囲壁セクション２４８Ｂ−１、２４８Ｂ−２、２４８Ｂ−３および２４８Ｂ−４の摩擦部材２５８による、ならびに、アクチュエータ部材を回転させるときにアクチュエータ部材に下向きの力を加える傾向がある使用者による、いずれの上向き移動にも逆らって、飲料容器２００の本体２１２に対して静止位置に保持されることに留意されたい。さらに、アクチュエータ部材２７６の回転は、下部部材の開口２６０に摺動可能に受容されている上部部材のガイド部材２６２の結果として、下部部材に対する上部部材の任意の回転運動をなくして、静止下部部材２４８に対し、上部部材２４６を軸方向に移動させることに留意されたい。
【００４７】
蓋２１４が図９〜図１２に示された第１の（閉鎖）状態にあり、凹部２４０内にリングシール２５０があり、本体２１２の上部本体部分２２２と流体密な密封係合状態にあるとき、蓋を第２の（開放）状態に向けて移動させるために、アクチュエータ部材２７６は、第１の回転方向で回転し、これにより、アクチュエータ部材のねじ山２８２と下部部材の内部ねじ山２７４とのねじ係合の結果として、上部部材２４６が下部部材２４８から離れて軸方向上向きに移動する。上部部材２４６が上向きに移動する際、凹部２４０内に配置されているリングシール２５０は、リングシールの上に位置し、リングシールを越え、流体通路２２８内に内向きに突出する、凹部の上縁壁２４２によって上部部材と共に上向きに移動するのを、少なくとも最初は防止される。上部部材２４６がリングシール２５０に対して上向きに移動すると、リングシールの内部を通って延在する傾斜壁２５４も上向きに移動し、傾斜壁が上向きに移動するほど、リングシールの内部に配置された傾斜壁の部分の直径が小さくなり、これにより、外側に伸張した弾性リングシールが半径方向内向きに漸進的に弛緩し、リングシールが、最終的に凹部２４０の上縁壁２４２をクリアし、傾斜壁と共に上向きに運搬され得るまで、円周と直径を減らし、そこで、リングシールは、実質的に初期内径および初期外径、ならびに初期断面サイズに戻る。好ましい実施形態では、凹部２４０の上縁壁２４２は、上部部材２４６が、十分に上向きに移動して、リングシールを上部部材２４６の周囲下部部材部分２４６Ｂの壁２５２上の位置に戻すまで、上向きへの移動に逆らってリングシール２５０を保持する。しかしながら、それが起こらなくても、リングシール２５０は、傾斜壁２５４上に依然として配置されている間に上縁壁２４２をクリアし、下部部材２４８の周囲上部部材部分２４８Ａの上端壁２９８からわずかに上向きに運搬され、次に、使用者が、アクチュエータ部材２７６を第２の回転方向で回転させて、上部部材２４６を下向きに移動させるとき、傾斜壁２５４は、それが、下部部材２４８の周囲上部部材部分２４８Ａの上端壁３００と係合するまで、それと共にリングシール２５０を下向きに運搬し、このようにして、再度、リングシールを外向きに漸進的に外向きに伸張し、最終的に凹部２４０の流体密な密封位置に入れるために、リングシールを本体２１２の上部本体部分２２２の凹部２４０の真向かいに内向きに離間して配置する。
【００４８】
蓋２１４は、それが、図９〜図１２に示された第１の（閉鎖）状態と、図１７〜図２０に示された第２の（開放）状態との間で移動されるときに蓋が通過する中間位置で図１３〜図１６に示されている。図示された中間位置では、リングシール２５０は、凹部２４０内に完全には着座していない。この中間位置から、アクチュエータ部材２７６を第１の回転方向で回転させると、上部部材２４６が軸方向上向きに下部部材２４８から離れるように移動し、蓋が、第２の（開放）状態に向かって移動する際に、リングシール２５０が弛緩して凹部２４０から遠ざかるように引っ張ることができ、アクチュエータ部材を第２の回転方向で回転させると、上部部材が下部部材に向って軸方向下向きに移動し、リングシールが外側に伸張して、本体２１２の上部本体部分２２２と流体密な密封係合で、凹部内の流体密な密封位置に移動する。
【００４９】
周囲中間部材部分２４６Ｃは、リングシール２５０を、上体部分２２２との流体密な密封係合において、その弛緩状態からその伸張状態へと円滑かつ漸進的に拡張するために、円錐壁断面の形状を備えた、円周方向に延在する外向きに面する周囲円滑傾斜壁２５４有するものとして記載および図示されているが、アクチュエータ部材２７６が、上部部材２４６を下部部材２４８から遠ざけるようにリングシールを伸張し、円滑な傾斜壁または円錐壁断面ですら利用しない他の輪郭を壁２５４が有してもよいことが当業者によって認識されるであろう。そのような代替形状は、リングシール２５０が十分に伸張された状態にあり、蓋が第１の（閉鎖）状態にあるときに、上部本体部分２２２との流体密な密封係合を提供し、本体２１２の上部本体部分２２２とリングシール２５０との間にギャップ２９８を提供して、下部本体部分２２０から蓋２１４を通って飲料開口２４７または流体を分配することが意図される蓋の他の部分への流体の流れを可能にする限り、使用することができる。
【００５０】
本発明の特定の実施形態を示して記載してきたが、本明細書の教示に基づいて、本発明およびそのより広い態様から逸脱することなく変更および改変を加えることができることは当業者には明らかであり、したがって、添付の特許請求の範囲は、その範囲内に、本発明の真の精神および範囲内にあるものとして、すべてのそのような変更および改変を包含するものである。さらに、本発明は、添付の特許請求の範囲によってのみ定義されることを理解されたい。一般に、本明細書で、特に添付の特許請求の範囲（たとえば、添付の特許請求の範囲の本文）で使用される用語は、一般に「オープンな」用語（例えば、「含んでいる」という用語は「含んでいるが限定されない」と解釈されるべきであり、「有する」という用語は「少なくとも有する」と解釈されるべきであり、「含む」という用語は「含むが限定されない」と解釈されるべきであるなど）として意図されることは当業者によって理解されるであろう。
【００５１】
特定の数の導入された請求項の列挙が意図される場合、そのような意図は請求項に明示的に列挙され、そのような列挙がない場合、そのような意図は存在しないことは、当業者によってさらに理解される。例えば、理解するための補助として、以下の添付の請求項は、請求項の列挙を導入するための導入句「少なくとも１つ」および「１つ以上」の使用を含み得る。しかしながら、そのような句の使用は、同じ請求項に「１つ以上」または「少なくとも１つ」という導入句と、「ａ」または「ａｎ」などの不定冠詞が含まれている場合であっても、そのような句の使用は、「ａ」または「ａｎ」という不定冠詞による請求項の列挙の導入が、そのような導入された請求項の列挙を含む任意の特定の請求項を、そのような列挙を１つだけを含む発明に限定することを意味すると解釈されるべきではなく（例えば、「ａ」および／または「ａｎ」は通常、「少なくとも１つ」または「１つ以上」を意味すると解釈される）、請求項の列挙を導入するために使用される定冠詞の使用についても同じことが当てはまる。加えて、特定の数の導入された請求項の列挙が明示的に列挙されている場合でも、当業者は、そのような列挙が通常、少なくとも列挙された数を意味すると解釈されるべきであることを認識するであろう（例えば、他の修飾子を伴わない「２つの列挙」のありのままの記述は、通常、少なくとも２つの列挙、または２つ以上の列挙を意味する）。
【図１】
2020189695.tif 000003
【図１Ａ】
2020189695.tif 000004
【図１Ｂ】
2020189695.tif 000005
【図１Ｃ】
2020189695.tif 000006
【図２】
2020189695.tif 000007
【図２Ａ】
2020189695.tif 000008
【図２Ｂ】
2020189695.tif 000009
【図２Ｃ】
2020189695.tif 000010
【図３】
2020189695.tif 000011
【図３Ａ】
2020189695.tif 000012
【図３Ｂ】
2020189695.tif 000013
【図３Ｃ】
2020189695.tif 000014
【図４】
2020189695.tif 000015
【図５】
2020189695.tif 000016
【図６】
2020189695.tif 000017
【図７】
2020189695.tif 000018
【図８】
2020189695.tif 000019
【図９】
2020189695.tif 000020
【図１０】
2020189695.tif 000021
【図１１】
2020189695.tif 000022
【図１２】
2020189695.tif 000023
【図１３】
2020189695.tif 000024
【図１４】
2020189695.tif 000025
【図１５】
2020189695.tif 000026
【図１６】
2020189695.tif 000027
【図１７】
2020189695.tif 000028
【図１８】
2020189695.tif 000029
【図１９】
2020189695.tif 000030
【図２０】
2020189695.tif 000031
【図２１】
2020189695.tif 000032
【図２２】
2020189695.tif 000033
【図２３】
2020189695.tif 000034
【図２４】
2020189695.tif 000035
【図２５】
2020189695.tif 000036
【外国語明細書】
2020189695000001.pdf